(57)【要約】      （修正有）【課題】書籍の自重による表紙の損傷を回避し、安心して長きに亘り使用が可能で、デザイン性に優れたブックカバーを提供する。【解決手段】２以上の種類の書籍に対応できるブックカバーであり、しおり機能を有する収納部はブックカバーと一体化した状態で形成し、書籍の表表紙及び裏表紙のそれぞれの下部が留め具に直接当たらないように保持する構成のブックカバー。【選択図】図１
0003151678.tif 000002
【実用新案登録請求の範囲】
【請求項１】
サイズの異なる書籍の被覆が可能な形状に形成した耐久性のある素材で作られたブックカバーであって、
前記書籍の表表紙及び裏表紙に接する側の前記ブックカバーの本体裏面は下端部の左右両端部及び小さいサイズの書籍を被覆できる大きさの上部の左右両端部並びに大きいサイズの書籍を被覆できる大きさの最上部左右両端部のそれぞれに留め具を設けるとともに、
該留め具のそれぞれをブックカバーの本体裏面の内側に倒して係合するための係合部を前記ブックカバーの本体裏面の対応する各該当位置で前後に位置調節可能に取付け、
前記小さいサイズの書籍を被覆する場合、前記上部の左右両端部に設けた留め具を境に折り線を介して外側に折り返す折返し片を形成し、かつ上記下端部の左右両端部に設けた留め具及び上記上部の左右両端部に設けた留め具のそれぞれを対応する上記係合部に係合させて書籍の表表紙、裏表紙のそれぞれの一端部側を挿入させた状態で固定する左右の押え片を形成するとともに該押え片とその押え片の上に重ねて形成される折返し片部分とで形成される栞機能を備えた収納部に書籍の途中頁の上部隅角部を差込可能に形成し、
前記大きいサイズの書籍を被覆する場合、上記折返し片を旧位置に展開し、上記下端部の左右両端部に設けた留め具及び上記最上部の左右両端部に設けた留め具のそれぞれを対応する上記係合部に係合させて書籍の表表紙及び裏表紙のそれぞれの一端部側を挿入させた状態で固定する左右の第２押え片を前記押え片よりも外側に位置するように形成したことを特徴とするブックカバー。
【請求項２】
上記留め具はＵ字状の鉤部又は凸状部で形成され、該鉤部又は凸状部を差し込むための係合部は留め具の取付け位置から離れた横方向に沿った位置に少しずつずらした状態で複数の係合部を設けたことを特徴とする請求項１記載のブックカバー。
【請求項３】
上記ブックカバーの本体裏面には小さいサイズの書籍の各表紙を挿通させて表紙を規制する帯状保持片及び大きいサイズの書籍の各表紙を挿通させて表紙を規制する帯状保持片をそれぞれ縦方向に沿って設けたことを特徴とする請求項１又は２記載のブックカバー。
【考案の詳細な説明】
【技術分野】
【０００１】
本考案はサイズの異なる書籍の被覆が可能な形状に形成した耐久性のある素材で作られたブックカバーに関するものである。
【背景技術】
【０００２】
従来のブックカバーの先行技術は、ある一つの規格の書籍に対し、その書籍の厚さ調整をいかに行うか、また伸縮性のある素材や部材等を使用し、なるべく多くの規格の書籍とその書籍の厚さに合わせる事は出来ないかというものがそのほとんどである。しかし、フリーサイズのブックカバーならば、そのブックカバーを製造する為の素材は限定され、購入決定の意思の主要部分である、商品デザインの選択肢が乏しく、たとえば布や革で出来たブックカバーが欲しいという需要には応えられない。またある一つの規格の書籍にのみに対応するブックカバーでは、たとえばＡ６版（以下「文庫本サイズの書籍」ないしは小さいサイズの書籍と記載する）とＡ５版サイズの書籍を中心に読む需要層はそれぞれのサイズに合わせた別々のブックカバーを購入しなければならず、ここでは機能の面で市場選択肢が乏しいという欠点がある。
【０００３】
また、従来技術として、上部カバー（１）の右上部かどに突設した、係止体を有する上部カバー折り返し部（５）を設け、左上部かどに突設した、係止体を有する上部カバー折り返し部（６）を設け、上端長手方向に係止体（７）を設け、下部カバー（１１）の右下部かどに突設した、係止体を有する下部カバー折り返し部（１５）を設け、左下部かどに突設した、係止体を有する下部カバー折り返し部（１６）を設け、下端長手方向に係止体（１７）を設け、右上部かどにクリップ（１８）を設け、左上部かどにクリップ（１９）を設けたサイズ変更可能なブックカバーが開示されている(特許文献1)。
【０００４】
そして、同文献には、面ファスナー（７、２７）の中央部だけは、上部カバー（１）に接着されていない。この面ファスナー（７、２７）が接着されていない部分の左側の適宜位置に、しおり（８）の下端を、面ファスナー（７、２７）と上部カバー（１）で挟着する。このしおり（８）を挟着する個所は、前記の左側の適宜位置に限定せず、ほかの位置でもかまわない。つぎに、この面ファスナー（７、２７）を接着していない中央部の下に、しおり（８）の上端をくぐらせて通す。装着する本の長さにしおり（８）の長さをあわせるには、面ファスナー（７、２７）の下端より下に出ている、しおり（８）の長さを調節する旨の記載が開示されている(同文献段落０００７参照)。
【０００５】
また、同文献には、ページ押さえ（２０）の材質に限定するものはないが、上部カバー（１）及び下部カバー（１１）に使用される生地が、前記カバーと一致する色彩なので好ましい。また、これらの前記カバーをもとの生地から裁断し、その際の余分な生地から、このページ押さえ（２０）の生地をとるので、経済的である。ページ押さえ固定部（２１、２２）には面ファスナーを使用するが、ほかの材質でもかまわない。このページ押さえ固定部（２２）に、ページ押さえ（２０）の下端を取りつけ、クリップ（２３）の孔にページ押さえ（２０）を挿通する。つぎに、四辺形のページ押さえ固定部（２１）の両横辺が重なるように、面ファスナーのフックやループの付いていない面どうしを二つ折りにして重ねる。そして、この両横辺を固定すると、なかにものを挿通することができるので、ページ押さえ（２０）を挿通する。この手段により、ページ押さえ（２０）で押さえるページ数が増減しても、装着する本の縦の長さが異なっても、ページ押さえ固定部（２１）で、ページ押さえ（２０）の長さを自在に調節して対応できる。クリップ（２３）には、うすいアクリル板を使用し、Ｅ字形をなすが、ほかの材質や形状でもよい。さらに、両面テープなどのほかの係止手段で下部カバーおもて表紙部（１２）に、ページ押さえ（２０）を係止してもかまわない。このページ押さえ（２０）及びページ押さえ固定部（２１、２２）並びにクリップ（２３）は、右のページだけでなく、左のページにも適用できる。さらに、ページ押さえ（２０）及びページ押さえ固定部（２１、２２）並びにクリップ（２３）をもう一組設け、左右両ページにも使用できるので、たいへん汎用性に富む旨の記載が開示されている(同文献段落０００９参照)。
【０００６】
【特許文献１】特開平１０−４４６４２号
【考案の開示】
【考案が解決しようとする課題】
【０００７】
上記特許文献１におけるブックカバーは、上部カバー(１)と下部カバー(１１)が分離しており、両者をクリップ(１８)、(１９)で連結する構成である。このため、クリップ(１８)、(１９)の紛失のトラブル発生や上部カバー(１)と下部カバー(１１)が分離してしまう等のトラブルが発生する。
また、しおり(８)は細い棒状に形成されているので書籍の該当頁箇所の一部を損傷する等の虞がある。
【０００８】
しかも、ページ押さえ(２０)は棒状に形成されており、そのページ押さえ(２０)の両端部は面ファスナー(１７)及び(７)に着脱自在に固定するとともにページ押さえ(２０)の途中箇所をクリップ(２３)で挟着する構造であるために取扱いが不便である上に紛失等の虞もある。
【０００９】
さらに、書籍のサイズに応じてブックカバーのサイズを変更できるブックカバーは従来から存在しているが、いずれも書籍の表紙の大きさに対応した大きさに折り畳む形状のブックカバーであり、書籍の表表紙、裏表紙及び書籍の中身である頁相当厚さの上下端面の露出部分を保護するには不十分であり、せいぜい帯状バンドで表紙を保護する程度であった。
このため、文庫本のように表表紙及び裏表紙が帯状バンドで保護されたとしても、書籍の中身である頁相当厚さの上下端面の露出部分を保護することはできず、露出した頁相当部位の厚み部分の上下面が汚れたり、損傷したりする等の難点がある。
【００１０】
本考案は以上の点に着目し、２以上の種類の書籍に対応できるブックカバーであることは勿論であるが、しおり機能もブックカバーと別体ではなくブックカバー自体に栞機能を備えた収納部を形成して、しおりの紛失を防止し、栞機能を備えた収納部に書籍の途中頁の端部を差込可能に形成することができるとともに書籍の中身である頁相当厚さの上下端面の露出部分を耐久性のある素材で被覆して汚れや損傷等から保護することができ、安心して長きに亘り使用が可能で、デザイン性に優れたブックカバーを提供することにある。
【課題を解決するための手段】
【００１１】
本考案に係るブックカバーは、サイズの異なる書籍の被覆が可能な形状に形成した耐久性のある素材で作られたブックカバーであって、
前記書籍の表表紙及び裏表紙に接する側の前記ブックカバーの本体裏面は下端部の左右両端部及び小さいサイズの書籍を被覆できる大きさの上部の左右両端部並びに大きいサイズの書籍を被覆できる大きさの最上部左右両端部のそれぞれに留め具を設けるとともに、
該留め具のそれぞれをブックカバーの本体裏面の内側に倒して係合するための係合部を前記ブックカバーの本体裏面の対応する各所定位置で前後に位置調節可能に取付け、
前記小さいサイズの書籍を被覆する場合、前記上部の左右両端部に設けた留め具を境に折線を介して外側に折り返す折返し片を形成し、かつ上記下端部の左右両端部に設けた留め具及び上記上部の左右両端部に設けた留め具のそれぞれを対応する上記係合部に係合させて書籍の表表紙、裏表紙のそれぞれの一端部側を挿入させた状態で固定する左右の押え片を形成するとともに該押え片とその押え片の上に重ねて形成される折返し片部分とで形成される栞機能を備えた収納部に書籍の途中頁の上部隅角部を差込可能に形成し、
前記大きいサイズの書籍を被覆する場合、上記折返し片を旧位置に展開し、上記下端部の左右両端部に設けた留め具及び上記最上部の左右両端部に設けた留め具のそれぞれを対応する上記係合部に係合させて書籍の表表紙及び裏表紙のそれぞれの一端部側を挿入させた状態で固定する左右の第２押え片を前記押え片よりも外側に位置するように形成したことを特徴とする。
【００１２】
請求項１記載のブックカバーにおける留め具は、Ｕ字状の鉤部又は凸状部で形成され、該鉤部又は凸状部を差し込むための位置を横方向にずらした複数の係合部を設けたことを特徴とする。
【００１３】
請求項１又は２記載のブックカバーにおける該ブックカバーの本体裏面には小さいサイズの書籍の各表紙を挿通させて表紙を規制する帯状保持片及び大きいサイズの書籍の各表紙を挿通させて表紙を規制する帯状保持片をそれぞれ縦方向に沿って設けたことを特徴とする。
【００１４】
本考案は、異なるサイズの書籍のうち、たとえば大きいサイズをＡ５サイズの書籍（縦幅約２１０ｍｍ、横幅は表表紙が約１５０ｍｍ＋裏表紙が約１５０ｍｍ＋その書籍の厚さ）とし、小さいサイズを文庫本サイズの書籍（縦幅が約１５０ｍｍ、横幅は表表紙が約１０５ｍｍ＋裏表紙が約１０５ｍｍ＋その書籍の厚さ）とする場合について説明する。この２種類のサイズの書籍に対応出来るブックカバーの条件とは、２種類の書籍の高さ（約６０ｍｍの差異）と書籍の厚さにブックカバーが対応出来ること、且つ前記２種類のサイズの書籍のどちらを使用する場合でも表表紙と裏表紙を固定でき、読書時にブックカバーの中で書籍が納まり、ブックカバーとして書籍の保護及び書籍の表紙の下端及び上端の保護と不可視性の機能を発揮させることである。この条件を鑑み、矩形状にそれぞれ断裁された例えば表地を丈夫なキャンバス布地で、裏地を軟らかな木綿地等の素材を組合せた布地、あるいは表裏で素材を異にする皮革又は布地と皮革の組合せ等といった耐久性のある素材で、かつ柔軟性のある素材で作られ、表地と裏地を貼り合わせたブックカバーであり、表地と裏地の色や柄等を変えることにより変化に富んだデザインに仕上げることができる。なお、本例ではブックカバーの全体形状は矩形が基本であるが必ずしもその形状にこだわることなくブックカバーとしての機能を発揮できれば他の形状であっても良い。
【００１５】
その為、Ａ５サイズの書籍の使用時はブックカバー１を上記Ａ５サイズの書籍の寸法よりも多少大きめに作ってあり、そのブックカバーの本体裏面の短手両側の両端隅角部にＡ５サイズの書籍の縦幅よりも長い位置に留め具を設け、且つ書籍の表紙に合わせブックカバーの本体裏面の中心方向に向かい折返した適当な位置で前記留め具を受ける係合部を設け、Ａ５サイズの書籍に使用出来るようにする。
【００１６】
また文庫本サイズのブックカバーとして使用する時は、前記Ａ５サイズの使用のために設けたブックカバーの本体裏面短手両側の両端にある最上部の留め具５、５の下方約６０ｍｍの位置に文庫本サイズの書籍の表紙を固定する為、Ａ５サイズの書籍の表紙を固定する際のサイズと同じ留め具４、４を設け、ブックカバーの本体裏面１ａを図７記載の折り線９に合わせ、ブックカバーの本体表面１ｂの生地側に向けて折り返す。その状態からブックカバー本体裏面１ａの短手両端に設置した文庫本サイズの書籍の上方留め具４、４と下方の留め具３、３をＡ５サイズの書籍を使用時と同様に留め具４と係合部７を、留め具３と係合部６をそれぞれ係合させ、文庫本サイズの書籍の表表紙及び裏表紙を固定するようにする。
【考案の効果】
【００１７】
本考案は一枚で２以上の種類の書籍に対応できるブックカバーであり、栞機能もブックカバーの一部を利用して形成されるので、栞機能を備えた収納部に書籍の途中頁の上端隅角部を差込可能に形成することができ、従来のように別体に作られた栞とは異なるために栞自体を紛失することは無い。また、書籍の表表紙及び裏表紙のそれぞれの上部及び下部が留め具に直接当たらないように係合部や帯状保持片各一端部で保持するとともに書籍の表紙の上部、下部のいずれも外部の物体等に直接当たらないようにブッカバーの本体を書籍の大きさよりも大きく形成することにより被覆状態で保護されるので、書籍の自重による表紙の損傷や、書籍の頁相当部位の汚れや損傷あるいは外部の物体に書籍の表紙が当たって損傷する等のトラブルを回避することができる。さらに、本考案は丈夫でかつ柔軟な素材を使用して作られるので安心して長きに亘り使用が可能であり、ブックカバーの表側の素材と裏側の素材を変えたり、柄や模様を変えたりし、特に小さいサイズの書籍例えば文庫本サイズの書籍のブックカバーに適用する場合は、外側に折り返す折返し片の素材とブックカバーの表側の素材とが異なるために鮮やかなコントラストを実現でき、デザイン性にも優れたブックカバーを提供することができる。
【考案を実施するための最良の形態】
【００１８】
以下、本考案を実施形態に基づいて説明する。また以下の説明は大きいサイズの書籍に相当するＡ５サイズの書籍と小さいサイズに相当する文庫本サイズの書籍を使用する場合について述べる。しかしこれによって、本考案が前記２種類の書籍のサイズのみに使用限定されるものではない。また、留め具や該留め具を係合するための係合部に関しても「服飾資材に使われるオス缶のホック」と「アパレル副資材の布テープを折り重ねたものでオス缶ホックをひっかけられる形状にしたもの」を留め具手段に用いるが、この説明により留め具手段が前記のものに限定されるわけではなく、たとえば面ファスナーを使用しても良ければ、別のアパレル資材（オス缶に合わせてメス缶を並べる等）を使った留め具手段を使用しても良いものである。しかし、面ファスナーに比べてＵ字状の鉤部とその鉤部を係合させる係合部を使用した場合の方がより一層確実な固定乃至係止が確実に行われる。
説明図中の破線(点線)は、たとえば縫製による本考案に係るブックカバーを作製した場合を想定した縫製跡（ステッチ又はミシン目）を示したものである場合と、折り線を示したものである場合がある。例えば、後述する係合部６、７、８の周縁部や帯状保持片１３、１４の両端部に形成されている。
【００１９】
図１は小さいサイズの書籍に適用した場合のブックカバーの斜視図、図２は小さいサイズの書籍用ブックカバーであるが該書籍が無い状態を示す斜視図、図３は本考案のブックカバーの本体表面を示す平面図、図４は大きいサイズの書籍に適用する場合のブックカバーの本体裏面を示す平面図、図５は図４における左右両端部を内側に折り返して第２押え片を形成した場合の平面図、図６は図５に大きいサイズの書籍を適用した場合を示す説明図である。図７は小さいサイズの書籍用ブックカバーとして使用する場合に折り線９を介して折返し片１０を本体表面１ｂ側に折り返した状態を示す平面図、図８は小さいサイズの書籍用ブックカバーとして使用する場合に押え片１１が左右に形成された状態を示す平面図、図９は小さいサイズの書籍用ブックカバーとして使用する場合に左右の上端部に栞機能を備えた収納部１５を形成した状態を示す平面図、図１０は小さいサイズの書籍用ブックカバーとして使用する場合の栞機能を備えた収納部１５に書籍の途中頁の上部角を挿し込んだ状態を示す説明図、図１１は鉤型の留め具に代えてボタンを使用した場合のブックカバーの本体裏面を示す平面図、図１２はボタンの留め具に代えてスナップボタンを使用した場合のブックカバーの本体裏面を示す平面図である。
本考案のブックカバーは表地が白いキャンバス地の布地で、裏地が有色の木綿地を素材とした表地と裏地によって構成されている。図３に示す符号２は、たとえば縫製による表地と裏地の貼り合わせを想定した場合の縫合部である。貼り合わせの方法は、糊状のものを使用する事により生地を貼り合わせる方法等も可能であろうが、本実施例では縫製による場合を示した。図４において、３、３はブックカバーの本体裏面１ａの下端部の左右両端部に設けた留め具を示し、４、４はブックカバーの本体裏面１ａの上部左右両端部に設けた留め具を示し、５、５はブックカバーの本体裏面１ａの最上部の左右両端部に設けた留め具を示す。図３はブックカバー１の表地と裏地が既に張り合わされている状態を示す。図４〜図１２はブックカバーの本体裏面１ａを示すものであるが、便宜上、ブックカバー１の表地と裏地の縫製を示す縫合部２を省略している。
【００２０】
小さいサイズと大きいサイズといった２以上の書籍のサイズ（規格）に対応できるブックカバーは、図４に示すように大きいサイズであるＡ５サイズの書籍に使用する場合はＡ５サイズの縦幅約２１０ｍｍに対応出来る寸法と小さいサイズである文庫本サイズの書籍に使用する場合は文庫本サイズの縦幅約１５０ｍｍに対応できることがこの考案の条件として求められる。
【００２１】
先ずＡ５サイズの書籍を使用する場合を例にとり、上記の条件を実施するための本考案に係るブックカバーの大きさについて説明をする。図４における縦幅はＡ５サイズの書籍の縦幅約２１０ｍｍの上下の延長線上に留め具５及び留め具３が取付けできる取付け幅を備えている。図４記載のＡ５サイズの書籍を被覆できる大きさよりも大きめのサイズに形成される。すなわち、ブックカバー本体裏面１ａの最上部の左右両端部に設けた留め具５、５の幅と、下端部の左右両端部に設けた留め具３、３の幅を加え、さらに余白を上下に縫合部２の幅を加えた縦幅に形成する。
またブックカバーの本体裏面１ａの横幅はＡ５サイズの書籍の表表紙と裏表紙と背表紙とが接する部分の横幅と、その横幅の延長上に書籍の表表紙と裏表紙の左右両端部を折り返した状態で被覆する第２押え片１２の横幅を形成する。
【００２２】
図４においてＡ５サイズの書籍を被覆する場合のブックカバーの本体裏面１ａに形成する最上部の左右両端部に設けた留め具５、５のそれぞれと対応して係合する位置調整が可能に前後にずらして形成した複数の係合部８と８の間の幅と下端部の左右両端部に設けた留め具３、３のそれぞれと対応して係合する位置調整が可能に前後にずらして形成した複数の係合部６と６の間の幅は、Ａ５サイズの書籍の表表紙と裏表紙の幅と背表紙の厚さ部分の幅を足した値よりも狭く作られる。それは図５のように留め具５と係合部８を係合させ、留め具３と係合部６を係合させ、書籍の表紙挿入の為の袋状部分を形成しＡ５サイズの書籍の表表紙と裏表紙の左右両端部を固定するためである。また縦幅の位置はなるべく生地を無駄に使わないようにするために、左右の係合部８、８は図３のブックカバー１の矩形状の長手側に入る上方縫合部２のすぐ下に形成する。左右の係合部６、６は図３に示すブックカバー１の矩形状の長手側の下方縫合部２のすぐ上に設ける。
【００２３】
図４に示すようにＡ５サイズの書籍の表表紙及び裏表紙をそれぞれ挿し込むために、ブックカバーの本体裏面１ａに設けられる左右の帯状保持片１４、１４は、最上部の左右両端部に設けた留め具５、５を係合する係合部８と８と、下端部の左右両端部に設けた留め具３、３を係合する係合部６と６の間に位置しており、本体裏面１ａにおけるＡ５サイズの書籍の表表紙及び裏表紙の各中間部位に相当する部位の縦方向に位置し、かつ本体裏面１ａの係合部７、７及び係合部６、６のそれぞれの外側で隣接する位置に縦方向に沿って設ける。帯状保持片１４の上下の端部の破線はミシン目を示し、係合部６、６や８、８と同じレベル位置で留められている。その理由は書籍の表紙が留め具３、４、５に直接当たらないようにするためであり、表紙の損傷等を回避することができる。
【００２４】
次に、文庫本サイズの書籍を被覆する場合について述べる。図４の文庫本サイズの書籍の表紙を被覆する場合の本体裏面１ａにおける上部の左右両端部に設けた留め具４、４を係合する係合部７、７の取付け位置は、本体裏面１ａの最上部の左右両側に設けた係合部８、８の上から約６０ｍｍ下方に位置した箇所であり、かつ文庫本サイズの書籍の表表紙及び裏表紙の上端から直ぐ上の中間部位に位置する箇所に前後に少しずつ、ずらした状態で複数の係合部７、７を設ける。それはＡ５サイズの書籍と文庫サイズの書籍の高さの差が約６０ｍｍある為である。また係合部７、７の横幅の設置位置は、Ａ５サイズの書籍の左右の表紙を挿通させる帯状保持片１４、１４に隣接する内側の位置に形成される。係合部７と７の間の距離は文庫本サイズの書籍の表表紙と裏表紙と背表紙の厚さ部分の長さを足した値よりも狭く、文庫本サイズの書籍の厚さ調整の際、表表紙と裏表紙を押え片１１で固定するために図８及び図９に示す書籍の表紙を固定する折り返し幅である押え片１１に合う適当な位置になる。
【００２５】
図８の文庫本サイズの書籍を被覆する場合の左右の押え片１１、１１を留める上部の留め具４、４を係合する左右の係合部７、７は、留め具４、４の真横方向であって文庫本サイズの書籍の表表紙及び裏表紙の各上端に隣接した上方位置に位置調整が可能なように前後に少しずつ、ずらして複数設ける。
【００２６】
文庫本サイズの書籍を被覆する場合の押え片１１を留める下部の留め具３、３を係合する左右の係合部６、６は、留め具３、３の真横方向であって文庫本サイズの書籍の表表紙及び裏表紙の各下端に隣接した下方位置に位置調整が可能なように前後に少しずつ、ずらして複数設ける。
【００２７】
ブックカバーの本体裏面１ａには文庫本サイズ等の小さいサイズの書籍の各表紙を挿通させて保持する帯状保持片１３及びＡ５サイズの書籍等の大きいサイズの書籍の各表紙を挿通させて保持する帯状保持片１４を縦方向に沿って設ける。すなわち、文庫本サイズの書籍の表紙を挿通させて保持する帯状保持片１３は、文庫本サイズの書籍の表表紙と裏表紙をそれぞれ挿入し固定する為のもので、その設置位置は文庫本サイズの書籍の表紙上端に隣接する上方に設けた複数の係合部７、７の内側端部に隣接する位置と、文庫本サイズの書籍の表紙下端に隣接する下方に設けた複数の係合部６、６の内側端部に隣接する位置との間に縦方向に設ける。
【００２８】
図５は、たとえばＡ５サイズの書籍を使用した場合の書籍装着方法を説明する図面である。先ず、Ａ５サイズの書籍の表表紙と裏表紙をそれぞれＡ５サイズの書籍の帯状保持片１４、１４に挿入する(図６参照)。次に図５にあるようにＡ５サイズの書籍の表表紙と裏表紙の左右の端部を第２押え片１２、１２で被覆するために、ブックカバーの本体裏面１ａの左右の最上部に取付けた留め具５、５を内側に倒して対応する最上部に形成した左右の係合部８、８に係合させる。同様に、ブックカバーの本体裏面１ａの左右の下端部に取付けた留め具３、３を内側に倒して対応する下端部に形成した左右の係合部６、６に係合させる。因みに上記の係止の順番は一例であり、使用者が装着し易い順番で行って良い。
【００２９】
図１及び図２並びに図７乃至図１０は、たとえば文庫本サイズの書籍を使用した場合の書籍装着方法を説明する図面である。先ず、図７に示すようにブックカバーの本体裏面１ａにおける上部位置に設けた左右の留め具４、４と、留め具４、４に対応する位置に設けた左右の係合部７、７の各取付け位置上端の折線９を境にして折返し片１０をブックカバーの本体表面１ｂに当接するように折り返す。図７が折返し片１０を折り返した状態を示す正面図である。次に、文庫本サイズの書籍の表表紙と裏表紙をそれぞれ小さいサイズの書籍の表紙を規制する帯状保持片１３に挿入する(図１０参照)。その後、図８に示すようにブックカバーの本体裏面１ａの左右の上部に取付けた留め具４、４を内側に倒して対応する上部に形成した左右の係合部７、７に係合させる。同様に、ブックカバーの本体裏面１ａの左右の下端部に取付けた留め具３、３を内側に倒して対応する下端部に形成した左右の係合部６、６に係合させる。
【００３０】
図９の栞機能を備えた収納部１５は、書籍の途中頁の上部隅角部を差込可能に形成したものであり、図９の左右上部の隅角部に形成される収納部１５上側の片の左下から右上(左側の場合)、収納部１５上側の片の左上から右下(右側の場合)にかけて斜めの線を折り線として外側に向けて三角形状に折り返し、その折り返した三角形状の片を留め具５により折返し片１０の上端部に係合させる。図１０の左上の隅角部に形成される栞機能を備えた収納部１５は敢えて三角形状に折り返さないで左上の隅角部に形成される四角形状の収納部に書籍の途中頁の上部隅角部を差込むようにしても良い。収納部の形状を三角形状とするか四角形状とするかは書籍の状態あるいは読者の好みに応じて決められる。三角形状の収納部１５の場合は書籍の途中頁の上部隅角部の差込が一層容易となる。なお、収納部１５は両方とも三角形状又は四角形状のいずれかであってもよい。
図１１及び図１２における栞機能を備えた収納部１５を形成する場合、書籍の途中頁の上部隅角部を差込むために形成する三角形状の片を確実に維持する手段として係合部７ａを図示するように少し上にずらして設ける。
【００３１】
文庫本サイズの書籍の表紙を規制する帯状保持片１３は、片方のみでも十分に書籍を固定する機能があるため、帯状保持片１３の片方が無いものでも本考案の課題を解決できるものである。
【図面の簡単な説明】
【００３２】
【図１】本考案に係るブックカバーを文庫本サイズの書籍に適用した場合の使用状態を示す斜視図である。
【図２】本考案に係るブックカバーを文庫本サイズの書籍に適用する場合における文庫本が無い状態を示す斜視図である。
【図３】本考案に係るブックカバーの本体表面を示す平面図である。
【図４】本考案に係るブックカバーの本体裏面に留め具や係合部及び帯状保持片などを取付けた状態を示す平面図である。
【図５】本考案に係るブックカバーをＡ５サイズの書籍に適用する場合の第２押え片を左右両端部に形成した状態を示す平面図である。
【図６】本考案に係るブックカバーの帯状保持片をＡ５サイズの書籍の表紙に装着した状態を示す説明図である。
【図７】本考案に係るブックカバーを小さいサイズの書籍用ブックカバーとして使用する場合に折り線を介して折返し片を本体表面側に折り返した状態を示す平面図である。
【図８】本考案に係るブックカバーを小さいサイズの書籍用ブックカバーとして使用する場合に押え片１１が左右に形成された状態を示す平面図である。
【図９】本考案に係るブックカバーを小さいサイズの書籍用ブックカバーとして使用する場合に左右の上端部に栞機能を備えた収納部を形成した状態を示す平面図である。
【図１０】本考案に係るブックカバーを小さいサイズの書籍用ブックカバーとして使用する場合の栞機能を備えた収納部に書籍の途中頁の上部角を挿し込んだ状態を示す説明図である。
【図１１】本考案に係るブックカバーを鉤型の留め具に代えてボタンを使用した場合のブックカバーの本体裏面を示す平面図である。
【図１２】本考案に係るブックカバーを鉤型の留め具に代えてスナップボタンを使用した場合のブックカバーの本体裏面を示す平面図である。
【符号の説明】
【００３３】
１       ブックカバー
１ａ     ブックカバーの本体裏面
１ｂ     ブックカバーの本体表面  
２       縫合部
３、３   下端部の左右両端部に設けた留め具
４、４   上部の左右両端部に設けた留め具
５、 ５   最上部の左右両端部に設けた留め具
６、６  下端部の左右両端部に設けた留め具を係合する係合部
７、７  上部の左右両端部に設けた留め具を係合する係合部
７ａ    上部の左右両端部に設けた留め具を係合する係合部
８、８  最上部の左右両端部に設けた留め具を係合する係合部
９      折り線
１０    折返し片
１１    押え片
１２    第２押え片
１３    小さいサイズの書籍の表紙を規制する帯状保持片
１４    大きいサイズの書籍の表紙を規制する帯状保持片
１５    栞機能を備えた収納部      
【図１】
0003151678.tif 000003
【図２】
0003151678.tif 000004
【図３】
0003151678.tif 000005
【図４】
0003151678.tif 000006
【図５】
0003151678.tif 000007
【図６】
0003151678.tif 000008
【図７】
0003151678.tif 000009
【図８】
0003151678.tif 000010
【図９】
0003151678.tif 000011
【図１０】
0003151678.tif 000012
【図１１】
0003151678.tif 000013
【図１２】
0003151678.tif 000014